(57)【特許請求の範囲】
【請求項１】
家具本体と、他の家具の天板に面一に隣接させ得る天板と、当該天板と前記家具本体とに亘って配置され前記天板を支持する天板支持体とを少なくとも有するものであって、
前記天板支持体に、前記天板と前記家具本体との間の天板の下面側に配置したハンドルを水平方向に回転させる動作によって天板の高さ位置を調整し得るアジャスタ機構を設け、
前記ハンドルを操作するための操作空間を、前記ハンドルの側方並びに上下何れか一方に形成し、
前記天板支持体が、前記天板に取り付けた上ステーと前記家具本体に取り付けた下ステーとを有するものであり、前記下ステーをオーバーハング部を有する形状とし、当該オーバーハング部の下面に前記ハンドルを配置していることを特徴とする家具。
【請求項２】
前記ハンドルを、天板の四隅近傍にそれぞれ配置している請求項１記載の家具。
【請求項３】
前記アジャスタ機構が、前記上ステーに回転不能に固定されたナット部と、前記ハンドルを有し前記下ステーに落下不能に支持されたボルト部とを有している請求項１又は２記載の家具。
【請求項４】
前記ボルト部を、前記ナット部のナット要素に対して螺合し得るボルト要素と、当該ボルト要素を支持し且つ前記下ステーに対して落下不能に当接支持される支持要素と、前記下ステーの下側に配置され操作力を前記ボルト要素に伝達し得る前記ハンドルとを有するものとしている請求項１、２又は３記載の家具。
【請求項５】
前記ボルト要素と前記支持要素とを一体に形成している請求項４記載の家具。
【請求項６】
前記ハンドルを、前記ボルト要素及び支持要素に対して別体に構成している請求項５記載の家具。
【請求項７】
前記天板支持体が、前記天板に取り付けた上ステーと前記家具本体に取り付けた下
ステーとを有するものであって、
前記上ステー及び前記下ステーが、側面視重複した状態で上下方向に嵌合するように構成している請求項１、２、３、４、５又は６記載の家具。
【請求項８】
前記天板支持体が、前記天板に取り付けた上ステーと前記家具本体に取り付けた下
ステーとを有するものであって、
前記天板支持体を、前記家具本体に対する取付位置を変更し得る取付位置変更手段を有したものとしている請求項１、２、３、４、５、６又は７記載の家具。
【請求項９】
前記家具本体がキャスタを具備している請求項１、２、３、４、５、６、７又は８記載の家具。
【発明の詳細な説明】
【技術分野】
【０００１】
本発明は、執務用デスクに隣接させて使用する家具に関するものである。
【背景技術】
【０００２】
従来、使用者が主に執務を行うための執務用デスクに隣接させて使用するための家具が提案されており、その様な家具は、天板を執務用デスクの天板に隣接させて互いに面一にすることにより、天板上の執務スペースを実質的に拡張することができる。
【０００３】
しかし、たとえ執務用デスクと家具との天板同士が製品の規格としてそれぞれ同じ高さに設定されていたとしても、製品間の差異や床面の凹凸や勾配などによって天板同士を正確に面一にすることができない場合が起こり得る。そこでこのような家具には、執務用デスクの天板に対して天板を正確に面一となるようにするために、家具の天板の高さ及び傾きを微調整し得る機能が付与されている。
【０００４】
例えば非特許文献１に記載されている家具では、天板の４隅に設けた支柱を軸方向すなわち水平方向に回転させることによって天板の４隅の高さ位置を微調整して天板の高さ及び傾きを微調整するアジャスタ機能を備えている。
【非特許文献１】「オカムラ２００５」、株式会社岡村製作所、平成１６年、Ｐ１００
【発明の開示】
【発明が解決しようとする課題】
【０００５】
しかしながら、非特許文献１に記載したようなアジャスタ機構であると、使用者はアジャスタ機構を用いて天板高さを調整するために支柱を握るか或いは摘んだ状態で、腕や手首を回しながら何回も握り直して回転させる動作を行わなければならず、指、腕や手首に相当の負担を掛けてしまう。また、このような家具は執務用デスクのまわりを頻繁に移動させて使用することも多く、そのたびに上述のような動作を強いられることとなる。
【０００６】
本発明は、このような不具合に着目したものであり、使用者が簡便に天板の高さや傾きを調整することができる家具を提供する。
【課題を解決するための手段】
【０００７】
本発明は、このような目的を達成するために、次のような手段を講じたものである。すなわち、本発明に係る家具は、家具本体と、当該家具本体に下方より支持され他の家具の天板に面一に隣接させ得る天板と、天板と家具本体とに亘って配置され天板を支持する天板支持体とを少なくとも有するものであって、天板支持体に、天板と家具本体との間に配置したハンドルを水平方向に回転させる動作によって天板の高さ位置を調整し得るアジャスタ機構を設け、ハンドルを操作するための操作空間を、ハンドルの側方並びに上下何れか一方に形成したものである。
【０００８】
ここで、操作空間はハンドルの上側に設けたものであっても下側に設けたものであってもよい。
【０００９】
このようなものであれば、使用者はハンドルを回転させる動作を手首や指の動作のみで簡便に行うことができる。すなわちハンドルを操作する際に使用者が操作力を加えやすい構成とすることができ、簡便な動作で天板の高さ及び傾きを調整し易い家具とすることができる。
【００１０】
ハンドルを上方から目立たない位置に配置しつつ、家具本体の上面側にハンドルを配置することを回避するために本発明は、ハンドルを、天板の下面側に設けている。
【００１１】
本発明は、ハンドルの下方に操作空間を好適に設ける具体的な構成として、天板支持体を、天板に取り付けた上ステーと家具本体に取り付けた下ステーとを有するものとして、下ステーをオーバーハング部を有する形状とし、このオーバーハング部の下面にハンドルを配置したことを特徴としている。
【００１２】
天板の傾きに関する微調整を好適に行うための構成としてはハンドルを、天板の四隅近傍にそれぞれ配置することが好ましい。いわゆるボルトとナットとによる螺合進退動作を利用して好適に天板の高さを調節するための構成として、アジャスタ機構を、上ステーに回転不能に固定されたナット部と、ハンドルを有し下ステーに落下不能に支持されたボルト部とを有したものを挙げることができる。
【００１３】
ボルト要素にかかる荷重を好適に支持しつつ好適にハンドルを操作させ得るアジャスタ機構の構成として、ボルト部を、ナット部のナット要素に対して螺合し得るボルト要素と、このボルト要素を支持し且つ下ステーに対して落下不能に当接支持される支持要素と、下ステーの下側に配置され操作力をボルト要素に伝達し得るハンドルとを有するものとした構成を挙げることができる。
【００１４】
そしてボルト要素に掛かる荷重によって支持要素が外れてしまうといった不具合を回避するためには、ボルト要素と支持要素とを一体に形成することが望ましい。
【００１５】
また、組み付けの際にボルト部を下ステーに組み付けやすくするためには、ハンドルを、ボルト要素及び支持要素に対して別体に構成すればよい。そうすることにより、ボルト要素と支持要素とを一体に構成してもそれらを下ステーの上から組み込んだ後、ハンドルを下側から別に組み付け得る構成とすることができる。
【００１６】
さらに、天板支持体が有する上ステー及び下ステーを、側面視重複した状態で上下方向に嵌合するように構成したものとすれば、アジャスタ機構による高さ調節の際に、上下ステー間に別のものを挟んでしまうといった不具合を有効に回避することができる。
【００１７】
加えて天板支持体を、家具本体に対する取付位置を変更し得る取付位置変更手段を有したものとして、アジャスタ機構を用いずに天板の高さを所定高さに設定し得る構成とすれば、アジャスタ機構によって天板の高さを好適に微調整し得る構成とすることができる。すなわち、アジャスタ機構の調整範囲を微調整に特化させたものとしても、好適に天板高さを調節することができる。
【００１８】
そして、家具本体を、キャスタを具備しているものとして、このキャスタによって容易に家具そのものの配置を変更した際に床面の状態によって天板の高さが変化した場合においても、アジャスタ機構によって好適に天板の高さを調整することができる。勿論、高さ調節機能を有さないキャスタを採用しても好適に天板の高さを調節することができる。
【発明の効果】
【００１９】
本発明によれば、使用者はハンドルを握って手首によって回転させるという簡単な動作によって容易に天板の高さを調整することができる。そうすることにより、例えば執務用デスクに隣接させて使用する際に、容易に天板を面一な状態へと調整することができる。
【発明を実施するための最良の形態】
【００２０】
以下、本発明の一実施の形態について図面を参照して説明する。
【００２１】
本実施形態に係る家具たるサイドワゴンＷを図１に示す。このサイドワゴンＷは、例えばオフィスにおいて主に使用者が執務を行う執務用デスクの側方、或いは使用者の側方に配置すべく執務用デスクの側前方に配置して主に使用するものである。そして執務用デスクの天板に対して天板２を隣接させることによって、使用者の執務スペースを実質的に拡張することができるものである。
【００２２】
ここで、本実施形態に係るサイドワゴンＷは、家具本体たる本体１と、本体１に下方より支持される天板２と、この天板２と本体１とに亘って配置されて天板２を支持する天板支持体３とを有している。また、天板支持体３に、ハンドル３４２ａを水平方向に回転させる動作によって天板２の高さ位置を調整し得るアジャスタ機構Ａを設けている。そして、ハンドル３４２ａを操作するための操作空間Ｓを、ハンドル３４２ａの側方並びに下方に形成していることを特徴としたものである。
【００２３】
以下、サイドワゴンＷの各部の構成について図１〜図７を用いて具体的に説明する。
【００２４】
サイドワゴンＷは、上述の通り、家具本体たる本体１と、天板２と、天板支持体３とを具備している。
【００２５】
本体１は、図１〜図４に示すように、上板１１、側板１２、仕切板１３、底板１４及び背板１５によって主に構成された内部空間を収納空間としたものであり、本実施形態では一方の側板１２と仕切板１３の内部にそれぞれ取付部材１２１、１３１を取り付けるとともに（図７）、上板１１に挿入孔１１ａを２箇所設けることによって後述する下ステー３３を固定し得るように構成している。また、図２及び図３に示すように、本体１の底板１４における６箇所にそれぞれキャスタＣを取り付けることにより、サイドワゴンＷ自体を移動し易いように構成している。なお、収納空間には棚板１６や、収納空間を閉止し得る戸板１７が設けられ、収納空間に種々の物を載置或いは保管し得るように構成されているが、収納空間に係る具体的な構成は当該構成に限定されるものではなく、引出を内蔵させることや開き戸を設けるなど、種々の構成を採用することができる。
【００２６】
天板２は、図１〜図４に示すように、その下面側に、後述する天板支持体３を構成する上ステー３１を短片側の縁部に沿って取り付けているとともに、後述する上ステー３１の穴部３１３に連通する位置、すなわち天板２の下面側４隅近傍に、後述するボルト部３４に干渉することなくボルト部３４を収容し得る収容穴２ａを形成している。また、天板２の下方には小物等を収納し得る抽斗２１を設けている。
【００２７】
天板支持体３は、図１〜図４に示すように、天板２の下面側に取り付けた上ステー３１と、上ステー３１を下方から支持する下ステー３３とを主に有している。そしてこの天板支持体３に、上ステー３１と下ステー３３との上下方向の相対距離を変更することによって天板２の高さ位置を調整することができる後述するアジャスタ機構Ａを設けているとともに、本体１に対する下ステー３３の取付位置を変更し得る後述する取付位置変更手段Ｂを設けている。
【００２８】
上ステー３１は、図４及び図６に示すように、断面視下向きに開口したチャネル形状をなしており、当該チャネルの下向き面を後述するナット部３２を取り付ける取付面３１１とし、前記チャネルの起立した部分を垂下縁３１２としている。そして上ステー３１の長手方向両端すなわち天板２の４隅近傍に位置する部分には穴部３１３を設け当該穴部３１３にナット要素３２ａが連通するようにナット部３２を取付面３１１に対して例えば溶接等によって取り付けている。なお上ステー３１の上面側と天板２とを取り付ける態様は、例えば図示しないビスによって取り付ける態様や接着剤によって接着する態様等、既存の種々の態様を用いることができる。
【００２９】
下ステー３３は、図４〜図６に示すように、上ステー３１に係り合う水平方向に延びる上部３３１と、当該上部３３１の中央部から下へ伸びる下部３３２とによって構成される側面視Ｔ字状の例えば金属板の折曲げにより構成されたものである。上部３３１は、上述した上ステー３１を略覆い得る形状をなしているものである。具体的には後述するボルト部３４を支持する支持面３３１ｂと、支持面の周辺を起立させて形成した起立縁３３１ａと、ボルト部３４を挿通させてハンドル３４２ｂを取り付けるためのハンドル孔３３１ｃとを有している。そして、下ステー３３のいわゆるＴ字における下向きの面をオーバーハング部３３ａとし、当該オーバーハング部３３ａに後述するアジャスタ機構Ａを構成するハンドル３４２ａを取り付けている。詳細には、上述したナット要素３２ａの位置に対応してハンドル３４２ａもまた両端付近に、すなわち天板２の下面側４隅近傍にそれぞれ取り付けられている。ここで、オーバーハング部３３ａに取り付けたハンドル３４２ａは横方向並びに下方向に開放された状態で取り付けられているので、ハンドル３４２ａを操作するための本発明に係る操作空間Ｓは、ハンドル３４２ａの側方並びに下方に形成していることとなる。そして本体１の側板及び仕切板の内部には取付部材１２１、１３１をそれぞれ取り付け、当該取付部材１２１、１３１と下ステー３３とをねじＰによって結合させることによって下ステー３３を所定位置に取り付けている。このとき、下ステー３３の下端近傍に上下方向に２種類の取付穴３３２ａ、３３２ｂを設けることによって、後述する取付位置変更手段を構成しており、任意の取付穴３３２ａ、３３２ｂを用いて取り付けるように構成している。
【００３０】
しかして、本実施形態に係るサイドワゴンＷは上述の通り、天板支持体３に、天板２の高さ及び傾きを調整し得るアジャスタ機構Ａを設けている。以下、アジャスタ機構Ａの構成について図４、図５、図６を用いて具体的に説明する。
【００３１】
アジャスタ機構Ａは、図４に示すように、上ステー３１に溶接等によって回転不能に固定されたナット部３２と、ハンドル３４２ａを有し下ステー３３に落下不能に支持されたボルト部３４とによって主に構成している。
【００３２】
ナット部３２は、図４及び図６に示すように、上述の通り上ステー３１の長手方向両端付近において、上ステー３１の取付面３１１に溶接等によって回転不能に固定されている。そしてナット部３２の内面であるナット要素３２ａは上ステー３１の穴部３１３並びに天板２の収容穴２ａに連通している。
【００３３】
ボルト部３４は、図５及び図６に示すように、ナット部３２のナット要素３２ａに対して螺合し得るボルト要素３４１と、当該ボルト要素３４１を支持し且つ下ステー３３に対して落下不能に当接支持される支持要素３４２ｂと、下ステー３３の下側に配置され操作力をボルト要素３４１に伝達し得るハンドル３４２ａとによって主に構成されている。そして、ボルト要素３４１と支持要素３４２ｂとを一体に形成するとともに、ハンドル３４２ａを、ボルト要素３４１及び支持要素３４２ｂに対して別体に構成している。具体的には支持要素３４２ｂの下側に直方体形状の嵌合凸部３４１ｃを設けるとともにハンドル３４２ａの上側に嵌合凸部３４１ｃに嵌り得る嵌合凹部３４２ｃを設け、組み付けの際にはボルト部３４の嵌合凸部３４１ｃをハンドル孔３３１ｂに通し、当該嵌合凸部３４１ｃと嵌合凹部３４２ｃとを下ステー３３を挟んで嵌合させ、ハンドル３４２ａの下側から支持要素３４２ｂとハンドル３４２ａとをビスｂによって固定することによって、ボルト部３４を下ステー３３に取り付けている。そして、下ステー３３に取り付けたボルト部３４のボルト要素３４１を上ステー３１側のナット部３２のナット要素３２ａに螺合させることによって、上ステー３１と下ステー３３との組み付けが完了する。このとき、特にアジャスタ機構Ａの模式的な断面図である図６に示すように、上ステー３１の垂下縁３１２及び下ステー３３の起立縁３３１ａが、側面視重複した状態で上下方向に嵌合するように構成することによって、アジャスタ機構Ａによる天板２の上下動の際に他の物を挟んでしまうといった不具合を回避している。
【００３４】
さらに上述の通り、天板支持体３には下ステー３３と本体１との取付位置を変更し得る取付位置変更手段Ｂを設けている。
【００３５】
取付位置変更手段Ｂは、図７に示すように、本体１側の側板１２と仕切板１３との内部にそれぞれ取り付けた取付部材１２１、１３１と、下ステー３３の下端部付近に形成した上下２段の支持穴１２１ａ、１３１ａとによって構成している。すなわち、取付部材１２１、１３１の支持穴１２１ａ、１３１ａに対して上下２段の何れかの取付穴３３２ａ、３３２ｂを選択してねじＰを用いて下ステー３３を取り付けることにより、下ステー３３が支持している天板２の高さ位置を位置決めしている。なお、図７では取付部材１２１のみを示している。また本実施形態では当該取付穴３３２ａ、３３２ｂを使用した際の天板２の高さ位置を、７００ｍｍ及び７２０ｍｍに設定している。
【００３６】
このように構成したサイドワゴンＷは、隣接させる執務用デスクの天板２の規格上の高さに合わせて取付位置変更手段Ｂを設定して、天板２の高さ位置を決定しつつ、例えば執務用デスクに添接させた状態として、アジャスタ機構Ａを用いて天板２の高さ或いは傾斜に関する微調整を好適に行い得るものとなっている。
【００３７】
以上のように、本実施形態に係る家具たるサイドワゴンＷは、ハンドル３４２ａを操作するための操作空間Ｓを、ハンドル３４２ａの側方並びに下方に形成していることを特徴としているので、使用者はハンドル３４２ａを回転させる動作を手首や指の動作のみで簡便に行うことができる。すなわちハンドル３４２ａを操作する際に使用者が操作力を加えやすい構成となっている。また、ハンドル３４２ａの下方及び側方を操作空間Ｓとしているのハンドル３４２ａを上方から目立たない位置に配置しつつ、本体１の上面側にハンドル３４２ａを配置することを回避して、本体１の上板１１上に他のものを載置するなどして天板２と本体１との間の空間を有効に活用し得るものとなっている。
【００３８】
そしてハンドル３４２ａを天板２の四隅近傍にそれぞれ配置することによって、天板２の傾きに関する微調整を好適に行い得るものとなっている。また、斯かる位置に好適にハンドル３４２ａを配置するために下ステー３３に設けたオーバーハング部３３ａを利用してハンドル３４２ａを取り付けたものとしている。
【００３９】
そしてアジャスタ機構Ａが、上ステー３１に回転不能に固定されたナット部３２と、ハンドル３４２ａを有し下ステー３３に落下不能に支持されたボルト部３４とを有しているので、螺合進退動作を利用して好適に天板２の高さを調節し得るものとなっている。さらに、ボルト部３４をボルト要素３４１と、当該ボルト要素３４１を支持している支持要素３４２ｂと、下ステー３３の下側に配置されたハンドル３４２ａとによって構成している。すなわちボルト要素３４１に掛かる荷重を支持要素３４２ｂによって受ける構成とすることによって、ハンドル３４２ａにボルト部３４の荷重並びにボルト部３４が受ける荷重が直接掛かることを有効に回避して、使用者が好適に、具体的には軽い操作感でハンドル３４２ａを操作し得るものとなっている。そして、ボルト要素３４１と支持要素３４２ｂとを一体に形成しているため、ボルト要素３４１に掛かる荷重によって支持要素３４２ｂが外れてしまうといった不具合を有効に回避している。一方でボルト要素３４１及び支持要素３４２ｂに対して別体にハンドル３４２ａを構成しているので、ボルト要素３４１と支持要素３４２ｂとを一体に構成してもそれらを下ステー３３の上から組み込んだ後、ハンドル３４２ａを下側から別に組み付け得る構成とすることができるので、容易に組み付け得るものとなる。
【００４０】
そして上ステー３１及び下ステー３３を組み付けた際に、上ステー３１及び下ステー３３が側面視重複した状態で上下方向に嵌合するように構成しているので、アジャスタ機構Ａによる高さ調節の際に、上下ステー３３間に別のものを挟んでしまうといった不具合を有効に回避し得るものとしている。
【００４１】
さらに、取付位置変更手段Ｂを設けることによって、具体的には下ステー３３の下部３３２に設けた取付穴３３２ａ、３３２ｂのうちの何れかを選択することによって、天板２の高さを予め所定高さに設定することができる構成となっている。そうすることによって、まず、取付位置変更手段Ｂによって天板２の高さ位置を大まかに設定した後、アジャスタ機構Ａによって天板２の高さを好適に微調整し得る構成とすることができる。
【００４２】
そして本体１にキャスタＣを設けてサイドワゴンＷ自体が容易に移動可能な構成となっているので、キャスタＣによって容易に家具そのものの配置を変更した場合に床面の状態によって天板２の高さが変化した場合においても、アジャスタ機構Ａによって好適に天板２の高さを調整することができる。勿論、高さ調節機能を有さないキャスタＣを採用しても好適に天板２の高さを調節することができる。
【００４３】
以上、本発明の実施形態について説明したが、各部の具体的な構成は、上述した実施形態のみに限定されるものではなく、本発明の趣旨を逸脱しない範囲で種々変形が可能である。
【００４４】
例えば、上記実施形態は上述したように家具本体たる本体１の態様については種々の態様を採用することができ、例えば図８に示すように、天板２の幅方向と略等しい幅寸法を有する本体１を適用することも可能である。
【００４５】
その他、各部の具体的構成についても上記実施形態に限られるものではなく、本発明の趣旨を逸脱しない範囲で種々変形が可能である。
【図面の簡単な説明】
【００４６】
【図１】本発明の一実施形態に係る家具を示す外観図。
【図２】同正面図。
【図３】同側面図。
【図４】同実施形態に係る構成説明図。
【図５】同実施形態に係る模式的な要部説明図。
【図６】同実施形態に係る要部の模式的な断面図。
【図７】同実施形態に係る要部の模式的な説明図。
【図８】同実施形態の変形例に係る家具を示す図。
【符号の説明】
【００４７】
１…家具本体(本体)
２…天板
３…天板支持体
３１…上ステー
３２…ナット部
３２ａ…ナット要素
３３…下ステー
３３ａ…オーバーハング部
３４…ボルト部
３４１ａボルト要素
３４１ｂ支持要素
３４２ａ…ハンドル
Ａ…アジャスタ機構
Ｂ…取付位置変更手段
Ｃ…キャスタ
Ｓ…操作空間
Ｗ…家具（サイドワゴン）。
【図１】
0004696267.tif 000002
【図２】
0004696267.tif 000003
【図３】
0004696267.tif 000004
【図４】
0004696267.tif 000005
【図５】
0004696267.tif 000006
【図６】
0004696267.tif 000007
【図７】
0004696267.tif 000008
【図８】
0004696267.tif 000009